(57)【要約】      （修正有）【課題】遠赤外線放射体の突出を防止して使用時の違和感を低減し、使用時の寝汗などの吸収を円滑にしてカビや病原菌等の繁殖を抑制し、遠赤外線放射効果を向上させたシート状放射体を提供する。【解決手段】所定の間隔で陥没した複数のボール収納ホール１６０と該ボール収納ホールの周囲に突出した接合部１５０とを備えたシート１１０、各ボール収納ホールに多数充填された放射性ボール１７０、該放射性ボールを固定するようシート１１０の上面に熱溶着された網状シート１３０等からなる構成のシート状放射体１００とした。このシート状放射体は、合成樹脂材料からなる基材シートに複数のボール収納ホール１６０を金型により一体形成し、得られた各ボール収納ホールに放射性ボール１７０を多数充填し、シート１１０の上に網状シート１３０を重ね、網状シート１３０とシート１１０を熱溶着させる方法により、容易に製造できる。【選択図】図１
2007236914.tif 000002
【特許請求の範囲】
【請求項１】
遠赤外線を放射する放射性ボール（１７０）を多数備えたシート状放射体（１００）であって、
複数のボール収納ホール（１６０）が所定の間隔をおいて陥没すると共に、それぞれのボール収納ホールの周囲に該ボール収納ホールと相対的に突出する接合部（１５０）を備えたシート（１１０）と、
前記それぞれのボール収納ホールに多数充填された放射性ボール（１７０）と、
前記ボール収納ホールに充填された前記多数の放射性ボールを固定するように、前記接合部（１５０）を介して前記シート（１１０）の上面に熱溶着された網状シート（１３０）と、からなるシート状放射体。
【請求項２】
前記放射性ボール（１７０）の直径が１〜２ｍｍである請求項１記載のシート状放射体。
【請求項３】
遠赤外線を放射する放射性ボール（１７０）を多数備えたシート状放射体（１００）の製造方法であって、
合成樹脂材料からなる基材シートに、下方に陥没する複数のボール収納ホール（１６０）を、金型により一体に形成してシート（１１０）を得るステップと、
前記シート（１１０）のそれぞれのボール収納ホールに多数の放射性ボール（１７０）を充填するステップと、
前記放射性ボールが各ボール収納ホールに充填された前記シート（１１０）の上に網状シート（１３０）を重ねるステップと、
前記シート（１１０）における各ボール収納ホール周囲の接合部（１５０）を加熱溶融させながら加圧して、前記網状シート（１３０）を前記シート（１１０）に熱溶着させるステップと、
を含むことを特徴とするシート状放射体の製造方法。
【請求項４】
前記シート（１１０）は、前記ボール収納ホール周囲の接合部（１５０）が、該ボール収納ホールと相対的に突出する形状を維持し得るように形成され、且つ、前記接合部（１５０）が金型により任意平面形状に型成形されている請求項３記載のシート状放射体の製造方法。
【請求項５】
前記接合部（１５０）が、円形状、三角形状、四角形状、菱形状、花柄形状のいずれかの平面形状に型成形されている請求項４記載のシート状放射体の製造方法。
【請求項６】
請求項１又は２記載のシート状放射体（１００）の下面側に、電源コネクタを通して電源が供給される発熱層（２１０）を具備するマットベース（２００）を配設してなる温熱式のマット。
【請求項７】
前記マットベース（２００）は、前記発熱層（２１０）の上下に、電磁波除去用の金属網製の遮蔽層（２３０，２３０）をさらに具備すると共に、それら上下の遮蔽層の上下に不織布（２２０，２２０）を具備し、且つ下側の不織布（２２０）の下面側に下部シート（２７０）を配設してなる請求項６記載のマット。
【請求項８】
請求項１又は２記載のシート状放射体（１００）の下面側に、クッション性を有するマットベース（２００’）を配設してなるマット。
【請求項９】
前記マットベース（２００’）は、不織布（２２０）と、該不織布の下面側に位置する下部シート（２７０）からなる請求項８記載のマット。
【請求項１０】
前記下部シート（２７０）が銀素材を含有して抗菌及び／又は抗臭機能を持つ請求項７または９記載のマット。
【発明の詳細な説明】
【技術分野】
【０００１】
本発明は、遠赤外線を放射する放射性ボールを多数備えたシート状の放射体、その放射体の製造方法、およびその放射体を備えたマットに関する。
【背景技術】
【０００２】
今日、人体に有意義な作用（例えば遠赤外線効果など）を持つ玉、麦飯石、炭、銅網層などを含有し、疾病の予防や治療、熟眠などの効果を発揮し得る各種のマット製品が提案されている。
この種マット製品の一例として、発熱機能を有するマット本体の上面側に、多数のセラミック、玉、ヒスイなどの遠赤外線放射体を接合し、その上に、合成樹脂製のシートを重ねて高周波溶着してなるものが知られている。このような構成の温熱式放射性マットは、マット本体の発熱装置に電力供給して発熱させることで、遠赤外線放射体からの遠赤外線の放射量が増加し、これにより、疾病予防、治療、熟眠などの効果を向上させようとするものである。
【０００３】
しかし、前記したようなマットは、マット本体の上面側に配された多数の遠赤外線放射体が、合成樹脂シートで完全に覆われ密閉された構造になるので、遠赤外線放射体から放射される遠赤外線が微弱になり、使用者に対する遠赤外線効果が低減する虞れがあった。また、マット本体の上面側が合成樹脂シートで覆われるので、使用者が横たわると、合成樹脂シートとの接触部分が滑ったりべたつくなどの不快さがあった。さらに、マット本体の上面側に配された遠赤外線放射体と使用者との間には合成樹脂シートが介在するのみなので、遠赤外線放射体が突出し、使用者が痛みを感じる虞れがあった。
【０００４】
このような問題点を改善するため、特許文献１（韓国登録実用新案２０-０２４１５４８号）には、マットレス用のシート地に対する遠赤外線放射体の付着構造が開示されている。
この構造は図＊に示すように、合成樹脂材の生地１と、多数の板状の遠赤外線放射体２、２’と、合成樹脂材の網地３からなるものであって、遠赤外線放射体２、２’を、生地１の上面に接着層５を介して付着し、その上に網地３を重ね、隣り合せる遠赤外線放射体２、２’の間で、生地１と網地３を高周波溶着して高周波溶着部４を形成し、遠赤外線放射体２、２’が生地１側に突出するようになっている。
【０００５】
【特許文献１】韓国登録実用新案２０−０２４１５４８号
【発明の開示】
【発明が解決しようとする課題】
【０００６】
しかし、特許文献１に示される構造は、合成樹脂材の平板状の生地１と網地３の間に板状の遠赤外線放射体２、２’を複数固定するので、高周波溶着部４と遠赤外線放射体２、２’との間に高さ方向の差が生じるので、マットを使用する際に使用者の皮膚に圧迫を与え、使用上の不便をもたらす虞れがあった。また、網地３と遠赤外線放射体２、２’の間に別途の空間が無いので寝汗などが溜まってカビや病原菌などが繁殖する虞れがあり、これらの改善が望まれている。
【０００７】
本発明はこのような従来事情に鑑みて成されたもので、その目的とする処は、遠赤外線放射体が突出しないようにして、使用者の皮膚との接触による違和感を低減したシート状の放射体を提供することにある。また本発明は、空気層を形成して使用時の寝汗などの吸収を円滑にし、カビや病原菌等の繁殖を抑制することを目的とする。また本発明は、使用時の遠赤外線放射体の流動を防止し、遠赤外線放射効果を向上させることを目的とする。さらに本発明は、前記したシート状放射体を容易に製造することができる製造方法、および、前記シート状放射体を利用したマット製品を提供することを目的とする。
【課題を解決するための手段】
【０００８】
以上の目的を達成するために、本発明は、所定の間隔をおいて複数のボール収納ホールが陥没して形成され、隣り合せるボール収納ホール同士の間に、網状シートとの溶着部となる接合部が、前記ボール収納ホールと相対的に突出するシートと、前記ボール収納ホールに多数充填される放射性ボールと、前記放射性ボールを固定するよう前記シートの上面に熱溶着される網状シートと、からなる放射体を提供する。
すなわち、本発明に係るシート状放射体は、遠赤外線を放射する放射性ボール（１７０）を多数備えたシート状放射体（１００）であって、
複数のボール収納ホール（１６０）が所定の間隔をおいて陥没すると共に、それぞれのボール収納ホールの周囲に該ボール収納ホールと相対的に突出する接合部（１５０）を備えたシート（１１０）と、
前記それぞれのボール収納ホールに多数充填された放射性ボール（１７０）と、
前記ボール収納ホールに充填された前記多数の放射性ボールを固定するように、前記接合部（１５０）を介して前記シート（１１０）の上面に熱溶着された網状シート（１３０）と、からなることを特徴とする。
前記放射性ボール（１７０）の直径は１〜２ｍｍであることが好ましい。
【０００９】
また、本発明は、前記したシート状放射体のマットベースを積層した構成からなるマットを提供する。
すなわち、本発明に係るマットは、シート状放射体（１００）の下面側に、電源コネクタを通して電源が供給される発熱層（２１０）を具備するマットベース（２００）を配設してなることを特徴とする。前記マットベース（２００）は、前記発熱層（２１０）の上下に、電磁波除去用の金属網製の遮蔽層（２３０，２３０）をさらに具備すると共に、それら上下の遮蔽層の上下に不織布（２２０，２２０）を具備し、且つ下側の不織布（２２０）の下面側に下部シート（２７０）を配設してなることが好ましい。
また本発明に係るマットは、シート状放射体（１００）の下面側に、クッション性を有するマットベース（２００’）を配設してなることを特徴とする。前記マットベース（２００’）は、不織布（２２０）と、該不織布の下面側に位置する下部シート（２７０）からなることが好ましい。
前記下部シート（２７０）が銀素材を含有して抗菌及び／又は抗臭機能を持つことが好ましい。
【００１０】
本発明に係るシート状放射体の製造方法は、合成樹脂材からなるシートに陥没する複数のボール収納ホールを一体に形成する段階と、該複数のボール収納ホールに放射性ボールを充填する段階と、前記シートの上面に網状シートを積層した後に熱溶着する段階と、を含むことを特徴とする。
【発明の効果】
【００１１】
以上説明したように本発明は、シートに形成した複数のボール収納ホールに、玉や麦飯石等のような遠赤外線を放射する放射性ボールが突出しないよう多数充填されるので、所定のクッション性を発揮して、皮膚との接触による違和感を低減することができる。また、ボール収納ホールに放射性ボールを多数充填することから、網状シートとシートの間に空気層が形成されて、汗の吸収が円滑に行われると共に、カビや病原菌等の繁殖が抑制される。さらに、シートに対し網状シートを熱溶着してボール収納ホールを覆うので、使用時における放射性ボールの流動が防止される。よって、遠赤外線放射効果を最大限に発揮すると共に、人体との接触による不便さや病原菌等の繁殖の虞れが無い新規なシート状放射体を提供することができた。
また、本発明に係るシート状放射体は、発熱層を具備する又は具備しないマットベースとの積層構造とすることで、温熱式マット、クッションマット、温熱式座布団、通常の座布団、椅子用の背当てなど、各種のマット製品として提供することができる。
【００１２】
また、本発明に係るシート状放射体は、合成樹脂材料からなる基材シートに、下方に陥没する複数のボール収納ホールを、金型により一体に形成してシートを得るステップと、前記シートのそれぞれのボール収納ホールに多数の放射性ボールを充填するステップと、前記放射性ボールが各ボール収納ホールに充填された前記シートの上に網状シートを重ねるステップと、前記シートにおける各ボール収納ホール周囲の接合部を加熱溶融させながら加圧して前記網状シートを前記シートに熱溶着させるステップと、を含む製造方法により容易に製造することができる。
前記接合部は、金型により、円形状、三角形状、四角形状、菱形状、花柄形状などの任意の平面形状に容易に型成形することができ、シートとしての商品性を高めることができる。
【発明を実施するための最良の形態】
【００１３】
以下、本発明の実施形態の例を図面に基づいて説明する。
図１、図２はシート状放射体を含むマットの例を示す斜視図、図３はその内部積層構造を示す分解斜視図で、このマット３００は、シート状放射体１００と、このシート状放射体１００の底部に積層されるマットベース２００からなる。シート状放射体１００は、多数の接合部３５０をもつ上部シート３３０で周辺部分を被覆され、その縁に裁縫されるカバー部材３６０でマットベース２００と一体化されている。マットベース２００の外側には、後述する発熱層２１０に電気を供給するための電源コネクタ３１０が設置されている。
【００１４】
シート状放射体１００は、複数のボール収納ホール１６０が所定の間隔をおいて陥没状に形成されそのボール収納ホール１６０と相対的に突出する接合部１５０がそれぞれのボール収納ホール１６０の周囲と外周縁に形成されたシート１１０と、それぞれのボール収納ホール１６０に多数充填された放射性ボール１７０と、ボール収納ホール１６０に充填された多数の放射性ボール１７０を固定するように前記接合部１５０を介してシート１１０の上面に熱溶着された網状シート１３０からなっている。
【００１５】
図示例では放射性ボール１７０の充填状態を明確にするため、放射性ボールを極端に拡大して示したが、実際の放射性ボール１７０はその直径が１〜２ｍｍでその突出が低減されている。すなわち、放射性ボール１７０は、その直径が極小化されるボール形状で、従来の５０〜７０ｍｍ程度の直径を持つ放射体を用いた場合に比べ、破損の心配が無く、また、シート状放射体１００を容易に畳めることができるようになる。
【００１６】
シート１１０は、網状シート１３０と接触される前記接合部１５０が、金型等によって予め成型され、それぞれのボール収納ホール１６０が全体的に陥没する形状からなっている。
前記した接合部１５０は、円形状、三角形状、四角形状、菱形状、花柄形状などの所望の平面形状に型成形することが出来、図１に示す例では四角形状の接合部１５０を示し、図２に示す例では円形状の接合部１５０を示す。
接合部１５０を、マット３００の幅方向に沿って形成した場合、マット３００を容易に折畳む事ができるようになる。
接合部１５０はシート１１０の縁にのみ形成されても良いが、ボール収納ホール１６０に充填される多数の放射性ボール１７０が片方に偏ることを防止するよう、所定の間隔をおいて多数形成されている。
【００１７】
マットベース２００は、シート状放射体１００に所定の弾性力を提供する上下の不織布２２０、２２０、および、その底部に積層される下部シート２７０を備えた積層構造からなっている。下部シート２７０には、裁縫線２６０により所定の模様が形成され、それを通して立体感を形成する。
【００１８】
マットベース２００における上下の不織布２２０、２２０の間には、発熱層２１０が積層され、その発熱層２１０の上下に、電磁波除去のための金属網からなる遮蔽層２３０がさらに具備されている。発熱層２１０は、発熱コイルと面状の発熱体などからなり、電源コネクタ３１０からの電気の供給時に発熱し、放射性ボール１７０に遠赤外線を放射させる。遮蔽層２３０は発熱層２１０の発熱時に電磁波の発散を防止させる。
発熱層２１０は、熱線にコントローラで電源が繋がる際に、その片方に連結されるバイメタルを通じて加熱が防止される構成で、外部から発熱温度を容易に調節できる。
そして、前記した発熱層２１０とその上下の不織布２２０、２２０の積層構造により、所定のクッションが発揮されることとなる。
また、下部シート２７０には銀がコーティングされ、抗菌および脱臭効果などを倍増させている。
【００１９】
このような構成の温熱式マット３００は、複数のボール収納ホール１６０に放射性ボール１７０が突出しないよう多数充填されたシート状放射体１００を備え、このシート状放射体１００が所定のクッション性を発揮すると共に、マットベース２００も上下の不織布２２０、２２０により所定の弾性力を発揮するので、皮膚との接触による違和感を低減することができる。
また、それぞれのボール収納ホール１６０に放射性ボール１７０を多数充填するため、網状シート１３０とシート１１０の間に空気層が形成されて、汗などの吸収が円滑に行われると共に、病原菌等の繁殖が抑制される。また、シート１１０に対し網状シート１３０を熱溶着してボール収納ホール１６０を覆うので、使用時における放射性ボール１７０の流動が防止される。
さらに、マットベース２００の発熱層２１０の発熱により、それぞれの放射性ボール１７０からの遠赤外線の放射量が増大すると共に、前記した空気層に吸収された汗などを蒸発させることができる。
また、多数の放射性ボール１７０が充填されたボール収納ホール１６０を網状シート１３０で覆うので、放射性ボール１７０が網状シート１３０で露出され、遠赤外線の放出効率を向上させることができる。さらに、網状シート１３０で湿気などの排出が容易になり、カビや病原菌などの繁殖を抑制することができる。加えて、多数の放射性ボール１７０を合成樹脂製のシート１１０に接着、溶着などにより固定する場合に比べ、別途の接合工程などが不要になる事は勿論、接着剤などによる公害発生を抑制することができる。
【００２０】
シート状放射体１００とマットベースの積層構造からなるマットの他例としての座布団を図４、図５に示し、図４の座布団３００’は前記した発熱層２１０、遮蔽層２３０を含まない通常の座布団であり、図５の座布団３００”は前記した発熱層２１０を含む温熱座布団として使用される。
【００２１】
前記の座布団３００’と温熱座布団３００”は、前述のシート状放射体１００の下にマットベースを備えたほぼ同様の積層構造からなり、上部面は、前記の例より縮小された形状のシート状放射体１００の周辺部分を被覆するために、多数の接合部３５０’、３５０”を持つ上部シート３３０’、３３０”が配され、その縁に裁縫されるカバー部材３６０’、３６０”で最終的な形状が維持されている。
【００２２】
座布団３００’のマットベースは、シート状放射体１００に所定の弾性力を提供する上下の不織布２２０、２２０およびその底部に積層される下部シート２７０を備えた積層構造からなる。下部シート２７０には、裁縫線２６０により所定の模様が形成され、それを通して立体感を形成する。
【００２３】
温熱座布団３００”は、シート状放射体１００に所定の弾性力を提供する上下の不織布２２０、２２０およびその底部に積層される下部シート２７０、上下の不織布２２０の間の発熱層２１０を備えた積層構造からなる。下部シート２７０には、裁縫線２６０により所定の模様が形成され、それを通して立体感を形成する。
【００２４】
これらの例における下部シート２７０にも銀をコーティングし、抗菌および脱臭効果などを倍増させることができる。
【００２５】
尚、シート状放射体１００の底面に積層されるマットベースは、図１，図５に示す温熱式のもの以外に、図４に示すように、使用状態によって多様な積層構造を持たせることができる。
すなわち、図４のように、シート状放射体１００の底面に不織布２２０と下部シート２７０のみが積層される構成とした場合、電気が供給されない一般的な座布団３００’として使用する事ができる。
【００２６】
前記したような構成によるマット、座布団は、夏・冬に兼用できる事は勿論、厚さが低減され保管に容易であり、遠赤外線とＡｇマイナスイオンが放出され、抗菌および脱臭効果をもたらし、放射体による使用上の不便なところを除去するものである。
【００２７】
前記した温熱式のマット、座布団、および温熱座布団に適用されるシート状放射体１００の製造方法について、図６、図７を参照して説明する。
【００２８】
まず、合成樹脂材料からなる基材シートの表面に、金型により、下方に陥没する複数のボール収納ホール１６０を一体に形成して、シート１１０を得る。この際に、シート１１０には、網状シート１３０を溶着するための接合部１５０が、ボール収納ホール１６０と相対的に突出する形状を維持し得るように、それぞれのボール収納ホール１６０の周囲と、シート１１０の外縁部に形成される。ボール収納ホール１６０の周囲に形成される接合部１５０は、金型により、円形状、三角形状、四角形状、菱形状、花柄形状などの多様な平面形状で形成され、網状シート１３０と溶着される溶着部となる（ステップ１）。
尚、ボール収納ホール１６０の大きさおよび深さは、これに充填する放射性ボール１７０の大きさ、数などによって決定される。
【００２９】
次に、前記した複数のボール収納ホール１６０に、放射性ボール１７０を多数充填する。充填完了後、放射性ボール１７０を、ボール収納ホール１６０の内側で相互密着させる（ステップ２）。
【００３０】
次に、図７に示すように、各ボール収納ホール１６０に多数の放射性ボール１７０が充填されたシート１１０を治具４００に載せて水平に支持した後、その上に網状シート１３０を積層する（ステップ３）。
網状シート１３０はシート１１０と同じ大きさで形成される。
治具４００は、シート１１０において上方へ突出する接合部１５０と、陥没状の各ボール収納ホール１６０に対応する面を備え、網状シート１３０とシート１１０を溶着するための上方からの加圧の際に、放射性ボール１７０の破損を防止する。
【００３１】
次に、前記したシート１１０の接合部１５０を加熱溶融させながら加圧して、網状シート１３０の一部をシート１１０に熱溶着させる（ステップ４）。
【００３２】
このような工程で製造されるシート状放射体１００は、外周縁およびその内側の接合部１５０によりシート１１０と網状シート１３０が接合され、それぞれのボール収納ホール１６０を網状シート１３０で覆って、多数充填された放射性ボール１７０の流動、突出を低減するものである。
【００３３】
以上、本発明の実施形態の例を図面に基づいて説明したが、本発明は図示例に限定されるものではなく、特許請求の範囲に記載された技術的思想の範疇において各種の変更が可能であることは言うまでもない。
【図面の簡単な説明】
【００３４】
【図１】本発明に係るシート状放射体を含むマットの実施形態の一例を示す斜視図。
【図２】本発明に係るシート状放射体を含むマットの実施形態の他例を示す斜視図。
【図３】図１又は図２のマットの内部構造を示す分解斜視図。
【図４】本発明に係るシート状放射体を含むマットの実施形態の他例を示す斜視図。
【図５】本発明に係るシート状放射体を含むマットの実施形態の他例を示す斜視図。
【図６】本発明に係るシート状放射体の製造工程の一例を示すフローチャート。
【図７】本発明に係るシート状放射体の製造工程の一例を示す斜視図。
【図８】従来のマットの一部拡大断面図。
【符号の説明】
【００３５】
１００：シート状放射体
１１０：シート
１５０：接合部
１６０：ボール収納ホール
１７０：放射性ボール
２００：マットベース
２１０：発熱層
２２０：不織布
２３０：遮蔽層
２６０：裁縫線
２７０：下部シート
３００：温熱式のマット
３００’：座布団
３００”：温熱座布団
【図１】
2007236914.tif 000003
【図２】
2007236914.tif 000004
【図３】
2007236914.tif 000005
【図４】
2007236914.tif 000006
【図５】
2007236914.tif 000007
【図６】
2007236914.tif 000008
【図７】
2007236914.tif 000009
【図８】
2007236914.tif 000010